(57)【要約】      （修正有）【課題】上面にシンクとコンロが設けられた流し台本体と、この流し台本体を所定の高さに支持する基台とを有し、流し台本体を、左右方向に延伸させた回転軸を介して基台に回動自在に装着して起倒自在としたキッチンユニットにおいて、シンクの排水口からの排水管の脱落を防止可能としたキッチンユニットを提供する。【解決手段】シンク11に、生ゴミを濾別するために用いる網カゴ34を収容する網カゴ収容部を設け、この網カゴ収容部に設けた排水口36に直管の第１排水管31を連通連結し、この第１排水管31を、回転軸の延長線上に配置した連結部を介して第２排水管32に回動自在に連結して、流し台本体10を回動させる際に、第１排水管31を回動させる。【選択図】図５
2009172319.tif 000002
【特許請求の範囲】
【請求項１】
上面にシンクを設けた流し台本体を、左右方向の回転軸を介して基台に回動自在に装着することによりして流し台本体を起倒自在としたキッチンユニットにおいて、
前記シンク底部に、生ゴミを濾別するために用いる網カゴを収容する網カゴ収容部を設け、
この網カゴ収容部と排水口に連通連結した排水管とを回転軸の軸芯上において、回動自在に連結したことを特徴とするキッチンユニット。
【請求項２】
排水口に連通連結した排水管を、前記回転軸の延長線上に沿って水平に配置したことを特徴とする請求項１に記載のキッチンユニット。
【請求項３】
網カゴ収容部は、排水管と一体に回転軸の軸芯上で回動自在としたことを特徴とする請求項１に記載のキッチンユニット。
【請求項４】
網カゴ収容部は、排水管とは別体に回転軸の軸芯上で回動自在としたことを特徴とするキッチンユニット。
【請求項５】
シンクに給水する給水ノズルを流し台本体に設けると共に、
給水ノズルの基端と、流し台本体とは別体に配設した給水管とを回転軸の軸芯上において回動自在に連通連結したことを特徴とする請求項1に記載のキッチンユニット。
【請求項６】
流し台本体に設けた電装品と、流し台本体とは別体に配設した電気配線コードとを回転軸の軸芯上において回動自在に結線したことを特徴とする請求項1に記載のキッチンユニット。
【発明の詳細な説明】
【技術分野】
【０００１】
本発明は、起倒自在の流し台本体よりなるキッチンユニットに関する。
【背景技術】
【０００２】
アパートやマンションなどのような集合住宅では、各部屋に必ず流し台が設けられている。このような流し台は、基本的にキッチンユニットとしてユニット化されており、シンクを備えた流し台本体と、この流し台本体を所定の高さに支持する基台とで構成されていることが多い。流し台本体には、シンクだけでなく、調理台及びコンロが併設されており、コンロには電気コンロが配設されていることもあれば、後付けなどによってガスコンロを装着可能としていることもある。
【０００３】
特に、一人住まい用の集合住宅では、流し台の使用頻度があまり高くないことから比較的コンパクトなキッチンユニットを設置することが多く、流し台回りのスペースを小さくして、その分を居住スペースにまわす設計が施されることが多い。
【０００４】
しかしながら、キッチンユニットをコンパクトにすればするほど、シンクが小さくなり、かつ調理台が狭くなり、しかもコンロが１口となってしまうために、調理が行いにくく、自炊をする入居希望者に敬遠されやすかった。
【０００５】
そこで、少なくともシンク部分を水平状態から垂直な起立状態に回動可能として、シンクの不使用時にはシンクを起立させることにより水平方向への張り出しを解消し、スペースの有効活用化を図った流し台が提案されている（例えば、特許文献１参照。）。
【０００６】
このように起倒自在としたシンクを備えた流し台では、シンクの前後方向の寸法を大きくして大容量化する一方で、左右方向の寸法はできるだけ小さくして、その分を調理台やコンロのスペースとして利用することによって利便性の高い流し台とし、自炊をする入居希望者の希望に適う流し台を提供可能としている。
【特許文献１】特開平０５−３００８１６号公報
【発明の開示】
【発明が解決しようとする課題】
【０００７】
しかしながら、起倒自在としたシンクを備えた流し台では、シンクの回動にともなってシンクの底部に設けた排水口の位置が円弧状の軌跡に沿って移動するため、排水口には変形自在な蛇腹管やゴム管などのフレキシブル管を接続して移動に追随可能とする必要があった。
【０００８】
そのため、フレキシブル管に生ゴミなどによって詰まりが生じている状態でシンクを回動させると、フレキシブル管が突っ張ることがあり、この突っ張りによってフレキシブル管が引っ張られることとなって、排水口との連結部分からフレキシブル管が外れるおそれがあった。
【０００９】
特に、起倒自在としたシンクを備えた流し台では、起倒操作にともなって流し台の向きが変わっても効果的に排水可能とするために、排水口の部分には生ゴミなどを受け止める網カゴを設けていないことが多く、比較的大きな生ゴミがフレキシブル管内に入り込んで詰まりを生じさせやすくなっている点も、不具合を生じさせる原因となっていた。
【００１０】
かかる欠点は、シンクからの排水路以外にも流し台本体に設けた給水ノズルへの給水路についても同じように言えることであり、更には、流し台本体に設けた電装品への電気配線コードについても同様である。
【００１１】
本発明者は、このような現状に鑑み、起倒自在とした流し台本体を備えたキッチンユニットにおいて、流し台本体へつながる各種パイプや配線が流し台本体の回動にともない支障となることがないキッチンユニットを提供すべく開発を行って、本発明を成すに至ったものである。
【課題を解決するための手段】
【００１２】
本発明のキッチンユニットでは、上面にシンクとコンロが設けられた流し台本体と、この流し台本体を所定の高さに支持する基台とを有し、流し台本体を、左右方向に延伸させた回転軸を介して基台に回動自在に装着して起倒自在としたキッチンユニットにおいて、シンクに、生ゴミを濾別するために用いる網カゴを収容する網カゴ収容部を設け、この網カゴ収容部に設けた排水口に直管の第１排水管を連通連結し、この第１排水管を、回転軸の延長線上に配置した連結部を介して第２排水管に回動自在に連結して、流し台本体を回動させる際に、第１排水管を回動させることとした。
【００１３】
さらに、本発明のキッチンユニットでは、シンクとコンロとの間に連結部を配置していることにも特徴を有し、第１排水管を回転軸の延長線上に沿って配置したことにも特徴を有するものである。
【発明の効果】
【００１４】
本発明のキッチンユニットでは、シンクに生ゴミを濾別するために用いる網カゴを収容する網カゴ収容部を設けていることにより、網カゴ収容部の下流側に生ゴミが流入して詰まりが発生することを防止できる。
【００１５】
しかも、網カゴ収容部の排水口には、蛇腹管やゴム管などのフレキシブル管を接続するのではなく、回転軸の軸芯上において排水管を排水口に回動自在に連通連結して、流し台本体を回動させる際に排水管も回動させることにより、排水管と網カゴ収容部との連結部分は流し台本体の回動の際に不動として、排水管が網カゴ収容部の排水口から外れることを防止可能としている。
【００１６】
しかも、流し台本体を基台に回動自在に装着するために用いている回転軸の延長線上に沿って排水管を配置した場合には、流し台本体の回動操作によって排水管に、排水管の長手方向の位置の変動を生じさせることがないので、網カゴ収容部の排水口からの排水管の外れを確実に防止できる。
【００１７】
更には、給水ノズルや電装品についても同様に給水パイプや配線コードが流し台本体の回動に支障とならないため、キッチンまわりをよい簡素化できる効果がある。
【発明を実施するための最良の形態】
【００１８】
本発明のキッチンユニットは、上面にシンクとコンロが設けられた流し台本体と、この流し台本体を所定の高さに支持する基台とを有し、左右方向に延伸させた回転軸を介して流し台本体を基台に回動自在に装着して起倒自在としたキッチンユニットであって、シンクに接続する排水管を蛇腹管やゴム管などのフレキシブル管ではなく、いわゆる塩ビ管などによる直管としているものである。
【００１９】
しかも、シンクには、生ゴミを濾別するために用いる網カゴを収容する網カゴ収容部を設けて、この網カゴ収容部に設けた排水口に直管の排水管を連通連結し、排水管に生ゴミなどが流入することを防止して、排水管において詰まりが生じることを防止している。
【００２０】
そのうえ、直管で構成した排水管を、前記回転軸の延長線上に配置し、流し台本体の起倒操作にともなう流し台本体の起倒操作における枢支部として機能させて、流し台本体を安定的に起倒可能としている。
【００２１】
同様に流し台本体に設けた給水ノズルや電装品も流し台本体の回転軸の軸芯上において給水パイプや電気配線コードと回動自在に連結されるので、給水パイプや電気配線コードが流し台本体の回動変位操作の支障とならないようにした。
【実施例】
【００２２】
図１は、本発明の実施形態のキッチンユニットの概観斜視図、図２は同キッチンユニットの使用状態の縦断面図、図３は同キッチンユニットの収納状態の縦断面図、図４は同キッチンユニットの収納状態の正面図である。また、図５は同キッチンユニットのシンクの網カゴ収容部の説明図であり、図６は同キッチンユニットの使用状態説明図である。更に図７は本発明の他の実施形態に係るキッチンユニットの収納状態説明図であり、図８は本発明の他の実施形態に係るキッチンユニットの使用状態説明図である。
【００２３】
キッチンユニットは、上面にシンク11とコンロ12が設けられた流し台本体10と、この流し台本体10を所定の高さに支持する基台20とで構成している。蛇口Ｊは、キッチンユニットが配設される壁面に装着している。
【００２４】
本実施形態では、流し台本体10は横長の平面視矩形状としており、シンク11を流し台本体10の上面における向かって右側に設け、コンロ12を流し台本体10の上面における向かって左側に設け、シンク11とコンロ12の間を調理台13としている。なお、シンク11とコンロ12は、調理台13を挟んで逆に配置してもよい。
【００２５】
流し台本体10は、上部を開口した箱状の支持基体10bと、この支持基体10bの上部開口部分に装着した天板10aとで構成しており、天板10aはステンレス板製であって、適宜のプレス加工などによってシンク11となる凹部や、コンロにおける加熱部を露出させる開口を形成している。
【００２６】
支持基体10bは、底面壁14と、この底面壁14の左右側にそれぞれ立設した左側壁15及び右側壁16と、底面壁14の前後側にそれぞれ立設した前側壁17及び後側壁18とで、上部を開口した箱状としている。
【００２７】
後側壁18には、上端部に後方へ向けて延伸させて板状の係合片19を設けており、後述するように係合片19を基台20に設けた平板状のストッパＳに係合させることによって、流し台本体10を使用状態である水平状態に保持可能としている。本実施形態では、係合片19とストッパＳとによって流し台本体10を水平状態に保持しているが、流し台本体10を水平状態に保持可能であればどのような構造としてもよい。
【００２８】
支持基体10bでは、流し台本体10を水平状態とした際に、流し台本体10の上面をほぼ水平面とする一方で、底面壁14を後低前高の傾斜状態として、流し台本体10を水平状態から起立状態にした際に、底面壁14の裏面側が垂直な平面となるようにしている。したがって、流し台本体10を起立状態とした際に、流し台本体10が目障りとなることがなく、美観を向上させることができる。また、底面壁14を後低前高の傾斜状態とするために、左側壁15及び右側壁16では、後方から前方にかけて高さ寸法を漸次小さくしている。
【００２９】
なお、底面壁14を後低前高の傾斜状態としたことによって、流し台本体10を水平状態とした際に、前方に突出した流し台本体10の突出部分における上下方向の厚みを薄くできるので、スマート感を向上させて美感の向上を図ることができる。
【００３０】
さらに、支持基体10bでは、流し台本体10を水平状態とした際に、後側壁18を後倒させた傾斜状態として、流し台本体10を起立状態にした際に、後側壁18が水平状態となるようにしている。流し台本体10を起立状態にした際に、後側壁18を水平状態とすることによって、流し台本体10を起立状態で流し台本体10と基台20との間に形成される隙間がシャープに形成されて、軽量感を醸し出させることができ、美観を向上させることができる。
【００３１】
更には、シンク11の奥側壁面11aは流し台本体10を水平とした際に垂直状態となるように構成し、かつ、シンク11の底面11bは、流し台本体10を水平とした際に水平状態となるように構成しており、また、流し台本体10の支持基体10bは奥側に向かって下り傾斜、すなわち前高後低の傾斜勾配に形成し、従って、シンク11の底面11bと流し台本体10の支持基体10bとの間の間隔は奥部に向かって漸次大きくなっており、最大の間隔となる奥部には、流し台本体10の回転軸10cの仮想軸芯が位置するように構成されており、具体的には、この奥部には網カゴ収容部及び同収容部に連結した第１排水管31が配設されている。
【００３２】
以上のように流し台本体10とシンク11とは構成されているため、流し台本体10を起立して流し台本体10の底面を基台20の前面と面一とした場合には、シンク11の奥側壁面11a及びシンク11の底面11bは網カゴ収容部に向かって下り勾配の傾斜面となり、シンク内の水滴や汚水は円滑に網カゴ収容部に集まり排水口36に流出する。
【００３３】
このように構成した支持基体10bの上部に天板10aを装着して流し台本体10を構成している。必要に応じて、支持基体10bの内部には、天板10aを支持する支持体を設けている。また、流し台本体10に設けるコンロ12がガスコンロである場合には、ガスコンロユニットが収容される収容部を設けている。なお、コンロ12が設けられる流し台本体10では、消防法に基づいた設計寸法や防火構造が用いられている。
【００３４】
図４に示すように、支持基体10bの左側壁15及び右側壁16には、所定位置に回転軸10cを設けている。本実施形態では、回転軸10cは太径の円柱状として、基台20に対して流し台本体10をスムーズに回動可能としている。なお、基台20には、回転軸10cを受ける軸受部20cを設けているが、基台20に回転軸を設けて左側壁15及び右側壁16に軸受部を設けてもよい。回転軸10c及び軸受部20cの構造は、基台20に対して流し台本体10がスムーズに回動自在となっていればどのような形態であってもよい。
【００３５】
基台20は、本実施形態では、所定間隔を隔てて設けた左側壁21及び右側壁22と、この左右側壁21,22の後端に設けて左側壁21と右側壁22とを一体的に連結する背面壁23とで構成している。左側壁21、右側壁22、及び背面壁23は、所定厚みの合板で形成している。
【００３６】
さらに、本実施形態では、基台20には、左側壁21と右側壁22との間に基台底板24と基台天板25を水平状に架設して収納庫26を形成し、この収納庫26の前側部分に複数の開き戸27を開閉自在に装着している。基台底板24、基台天板25、及び開き戸27も所定厚みの合板で形成している。
【００３７】
図２及び図３中、28は基台底板24の前側下面設けた脚であり、29は流し台本体10と基台20の収納庫26との間に生じる空間を閉塞して外観を向上させる補助板である。なお、補助板29は基台20に着脱自在として、基台20から補助板29を取り外すことにより、後述する第１排水管31、及び第２排水管32のメンテナンスや、基台天板25上面の清掃を行いやすくしている。
【００３８】
左側壁21及び右側壁22には、所定位置に流し台本体10に設けた回転軸10cを回動自在に枢支する軸受部20cを設けている。本実施形態では、軸受部20cは大径の開口とし、この軸受部20cに円柱状の回転軸10cを回動自在に挿入して、流し台本体10を回動自在としている。
【００３９】
基台20の背面壁23の上端部には、平板体で構成したストッパＳを水平状に装着し、このストッパＳに流し台本体10の係合片19を係合させて、流し台本体10を水平状態に保持可能としている。図２及び図３に示すように、ストッパＳと係合片19には、互いの係合状態を安定化させるために、適宜の凹凸形状による嵌合構造を設けてもよい。
【００４０】
このように、流し台本体10を起倒自在としたキッチンユニットにおいて、図５に示すように、シンク11には、奥側に位置した奥側壁面11aと底面11bとで構成される奥側角部11cに、斜め下方向に向けて膨出させて形成した排水溝33を設けている。本実施形態では、排水溝33をシンク11の左右方向の略中央となる位置の奥側角部11cに設けているが、必ずしも略中央である必要はなく、たとえば奥側角部11cに沿って全体的に設けてもよい。
【００４１】
この排水溝33はシンク11に対してポケット状に窪んだ形状となっており、この排水溝33を網カゴ収容部として、内部に生ゴミを濾別する網カゴ34を装着可能としている。網カゴ34は、シンク11から膨出させて形成した排水溝33内に設けているので、シンク11内での作業の邪魔となることがなく、水とともに排水溝34へと流されてきた生ゴミなどを効果的に濾別しながら集積させることができる。
【００４２】
図５中、35は、網カゴ34の上側面に装着するカバー板であって、調理中の野菜などが、誤って網カゴ34に入り込むことを防止している。
【００４３】
排水溝33は、シンク11の奥側角部11cに斜め下方向に向けて膨出させて形成していることによって、流し台本体10を起立させた収納状態としてもシンク11内の水を排水溝33に導くことができる。したがって、流し台本体10の使用後、シンク11内部に水滴が残っている状態で流し台本体10を起立させた場合に水漏れが生じることを防止できる。
【００４４】
しかも、排水溝33は、底面33aを、流し台本体10を起倒させるための回転軸10cと同軸の中心軸を有する湾曲面としているので、流し台本体10が水平姿勢であろうと、収納状態の起立姿勢であろうと、排水溝33内の水を速やかに下流側へと導いて水たまりなどが生じることを防止して、シンク11及び排水溝33を自然乾燥させ易くすることができる。したがって、シンク11内や排水溝33に残存した水による雑菌の繁殖を防止しやすくすることができる。
【００４５】
さらに、排水溝33には、第１排水管31が連通連結される排水口36を設けており、図４に示すように、この排水口36と第１排水管31とを連通連結し、しかもこの連通連結部分を流し台本体10を起倒させるための回転軸10cの延長線上に沿って配置している。特に、排水溝33の湾曲形状とした底面33aの曲率と、第１排水管31の内周面の曲率とを同一とし、かつそれぞれの中心軸を同軸として、排水溝33内の水を速やかに第１排水管31に案内可能としている。
【００４６】
第１排水管31の他端は、排水溝33から第１排水管31に流れ込んだ水を下流側に導く第２排水管32に連結部37を介して連通連結している。本実施形態では、第２排水管32は、連結部37を介して第１排水管31に連通連結される水平案内部と、この水平部に導かれた水を鉛直方向に導く垂直案内部とを備え、スムーズに排水可能としている。特に、垂直案内部の中途部には、Ｓ字状に湾曲させたＳトラップを設けている。
【００４７】
さらに、第１排水管31と第２排水管32を連結する連結部37を、流し台本体10を起倒させるための回転軸10cの延長線上に配置しているので、この連結部37自体を流し台本体10の枢支部とすることができ、流し台本体10をスムーズに起倒操作させやすくすることができる。
【００４８】
特に、図４に示すように、連結部37は、コンロ11とシンク12との間であって、流し台本体10の左右方向の中央部分に配置することにより、流し台本体10には、左右方向の中央部分に、連結部37から成る枢支部が設けられていることとなり、流し台本体10をよりスムーズに起倒操作させやすくすることができる。
【００４９】
このように構成したキッチンユニットでは、図６に示すように、基台20の奥行き寸法を冷蔵庫41、あるいは収納ボックスなどの家具の奥行き寸法に合わせておくことにより、流し台本体10を起立状態とした際に、空間的な出っ張りのない空間を構成することができ、デザイン的及び機能的に優れた間取り及び部屋構造を提供できる。
【００５０】
このように、本発明のキッチンユニットでは、シンク11に、生ゴミを濾別するために用いる網カゴ34を収容する網カゴ収容部を設けたことにより、網カゴ収容部の下流側に生ゴミが流入して詰まりが発生することを防止でき、しかも、網カゴ収容部に設けた排水口36に直管の第１排水管31を連通連結して、この第１排水管31を、回転軸10cの延長線上に配置した連結部37を介して第２排水管32に回動自在に連結して、流し台本体10を回動させる際に、第１排水管31を回動させることにより、第１排水管31を網カゴ収容部の排水口36から外れにくい構造とすることができる。
【００５１】
連結部37では、第１排水管31を第２排水管32に回動自在に連結し、かつ適宜のパッキンなどによって水密状態として連結して、連結部37において水漏れを生じさせることなく連結している。
【００５２】
したがって、流し台本体10を回動させる際に、第１排水管31を流し台本体10とともに回動させることができ、第１排水管31と網カゴ収容部の排水口36の連結部分では、流し台本体10の回動の際に不動として、第１排水管31が網カゴ収容部の排水口36から外れることを防止可能としている。
【００５３】
特に、第１排水管31を、流し台本体10を基台20に回動自在に枢着するために用いている回転軸10cの延長線上に沿って配置しているので、流し台本体10の回動操作によって、第１排水管31は、第１排水管31の中心軸回りに回動するだけであって、第１排水管31の延伸方向において位置の変動を生じさせることがないので、網カゴ収容部の排水口36からの第１排水管31の外れ、及び連結部37からの第１排水管31の外れを確実に防止できる。
【００５４】
また、上記した実施例は、流し台本体10において、シンク11とコンロ12とを並列した構造について説明したが、流し台本体10はシンク11のみとしてコンロ12については別途流し台本体10とは別の個所に配設することも可能である。
【００５５】
この場合は、シンク11のみを有した流し台本体10の起倒作動を行うことになる。
【００５６】
また、上記した実施例では、シンク11内の排水溝33から第１排水管31及び第２排水管32に連通した排水通路に関しての回動構造について説明したが、これ以外に、図７や図８について説明するように、流し台本体10に設置した給水ノズル40や電装品50についても排水通路と同様の回動構造を用いることにより、流し台本体10の起倒動作に対応した給水ノズル40や電装品50の回動構造とすることができる。すなわち、給水ノズル40がシンク11の向こう側の流し台本体10上面に設けられている場合は、給水ノズル40に連通した先端給水パイプ41と上水道より連通した基部給水パイプ42とを連結した回動連結部43を流し台本体10の回転軸10cの軸芯上に配設し、かつ回動連結部43は通水可能の構造とするものである。
【００５７】
回動連結部43は、先端給水パイプ41基端部と基部給水パイプ42の先端部とがこれらの端部を共通して被覆する筒状の回動連結部43の左右両端部で回動自在に嵌着されており、回動連結部43は回転軸10c軸芯上に配設されているので、この回動連結部43を介して先端給水パイプ41は回動する。なお、筒状の回動連結部43の内周面と各パイプの各端部の外周面との間にはシール機能を果たす滑動部材、たとえばテフロン（登録商標）シール材が介在されている。
【００５８】
また、電装品50、例えば、流し台本体10に設置された照明器具や料理用電気器具等を流し台本体10上に設置した場合は、これらの電装品50に接続した上手側コード51と、コンセント52等に接続した下手側コード53とを流し台本体10の回転軸10cの軸芯上において回動自在に接続し、接続部分には電気的に接続された回動連結部54を設け、流し台本体10の起倒操作に応じて上手側コード51は回動連結部54を介して下手側コード53と別体に独立回動して電装品50に接続したコードが流し台本体10の回動に全く支障とならないようにしたものである。
【００５９】
回動連結部54は、導通部材で構成すると共に、一端に上手側コード51の基端部を、他端に下手側コード53の先端部を接続し、回動連結部54は中央部で雌雄の嵌合により回動自在としており、かかる構造の回動連結構造が、内外二重構造として構成されているので、内外それぞれの回動連結部に電気コードの各線を結線することにより、電気導通状態のまま流し台本体10の回転軸10cの軸芯上で回動連結部54の上手側コード51と下手側コード53とを回動連結部54を介して回動させることができる。
【００６０】
以上、本発明の好ましい実施の形態について説明したが、本発明は係る特定の実施形態に限定されるものではなく、特許請求の範囲に記載された本発明の要旨の範囲内において、種々の変形・変更が可能である。
【図面の簡単な説明】
【００６１】
【図１】本発明の実施形態に係るキッチンユニットの外観斜視図である。
【図２】本発明の実施形態に係るキッチンユニットの使用状態の縦断面図である。
【図３】本発明の実施形態に係るキッチンユニットの収納状態の縦断面図である。
【図４】本発明の実施形態に係るキッチンユニットの収納状態の正面図である。
【図５】本発明の実施形態に係るシンクの網カゴ収容部の説明図である。
【図６】本発明の実施形態に係るキッチンユニットの使用状態説明図である。
【図７】本発明の他の実施形態に係るキッチンユニットの収納状態説明図である。
【図８】本発明の他の実施形態に係るキッチンユニットの使用状態説明図である。
【符号の説明】
【００６２】
10  流し台本体
10a 天板
10b 支持基体
10c 回転軸
11  シンク
11a 奥側壁面
11b 底面
11c 奥側角部
12  コンロ
13  調理台
14  底面壁
15  左側壁
16  右側壁
17  前側壁
18  後側壁
19  係合片
20  基台
20c 軸受部
21  左側壁
22  右側壁
23  背面壁
24  基台底板
25  基台天板
26  収納庫
27  開き戸
28  脚
29  補助板
31  第１排水管
32  第２排水管
33  排水溝
34  網カゴ
35  カバー板
36  排水口
37  連結部
40  給水ノズル
41  先端給水パイプ
42  基部給水パイプ
43  回動連結部
50  電装品
51  上手側コード
53  下手側コード
54  回動連結部
Ｓ  ストッパ
Ｊ  蛇口
【図１】
2009172319.tif 000003
【図２】
2009172319.tif 000004
【図３】
2009172319.tif 000005
【図４】
2009172319.tif 000006
【図５】
2009172319.tif 000007
【図６】
2009172319.tif 000008
【図７】
2009172319.tif 000009
【図８】
2009172319.tif 000010